(57)【要約】  ラウドスピーカは、発光素子と、フレームと、磁気ギャップを含む磁気回路と、振動板と、ボイスコイルボビンと、ボイスコイルと、を含んでいる。振動板は、発光素子が端面に結合された内周端部と、導光部と反射面と、フレームに結合された外周端部と、を有している。ボイスコイルボビンの、第１端は振動板の内周端部に結合され、第２端は磁気ギャップへ挿入されている。ボイスコイルボビンの第２端にはボイスコイルが巻回されている。
2015146117.tif 000002
【特許請求の範囲】
【請求項１】
発光素子と、
フレームと、
前記フレームに結合され、磁気ギャップを含む磁気回路と、
前記発光素子が結合された端面を含む内周端部と、前記内周端部から外周方向に設けられた導光部と、前記導光部の背面に設けられた反射面と、前記フレームに結合された外周端部とを有する振動板と、
第１端と第２端を有し、前記第１端が前記内周端部に結合され、前記第２端が前記磁気ギャップへ挿入された筒状のボイスコイルボビンと、
前記ボイスコイルボビンの前記第２端に巻回されたボイスコイルと、を備えた、
ラウドスピーカ。
【請求項２】
前記発光素子は、前記振動板の前記内周端部に、前記ボイスコイルボビンを介して結合された、
請求項１に記載のラウドスピーカ。
【請求項３】
前記ボイスコイルボビンは、透光性材料で構成された、
請求項２に記載のラウドスピーカ。
【請求項４】
前記振動板の前記内周端部は前記ボイスコイルボビンの外周面に結合され、前記ボイスコイルボビンは貫通して形成された窓部を有し、前記発光素子は前記窓部に配置された、
請求項２に記載のラウドスピーカ。
【請求項５】
前記振動板の前記端面は、前記ボイスコイルボビンの外周面に沿った形状を有する、
請求項４記載のラウドスピーカ。
【請求項６】
前記発光素子と前記振動板の前記端面との間に介在する反射防止層をさらに備えた、
請求項１に記載のラウドスピーカ。
【請求項７】
前記振動板の前記内周端部は、前記ボイスコイルボビンの内側へ突出した、
請求項１に記載のラウドスピーカ。
【請求項８】
前記ボイスコイルボビンは、前記第１端に形成され、前記振動板の背面と結合された折曲部を有した、
請求項７に記載のラウドスピーカ。
【請求項９】
前記折曲部は、前記ボイスコイルボビンの外側へ折れ曲がった、
請求項８に記載のラウドスピーカ。
【請求項１０】
前記ボイスコイルボビンの前記第１端には、前記振動板の前記内周端部が貫通する切り欠きが設けられた、
請求項７に記載のラウドスピーカ。
【請求項１１】
前記振動板の背面には、前記ボイスコイルボビンの外周面あるいは内周面の少なくともいずれかと結合された突起が設けられた、
請求項７に記載のラウドスピーカ。
【請求項１２】
前記振動板の前記内周端部は、前記ボイスコイルボビンの内周面もしくは外周面に沿って折れ曲がっており、前記ボイスコイルボビンの前記第１端における前記内周面もしくは前記外周面と結合された、
請求項１に記載のラウドスピーカ。
【請求項１３】
前記発光素子は、前記振動板の前記内周端部の背面側に配置された、
請求項１に記載のラウドスピーカ。
【請求項１４】
前記振動板の前記内周端部は、前記振動板の導光部よりも厚い、
請求項１に記載のラウドスピーカ。
【請求項１５】
前記振動板の前記反射面には、板状の突起が形成された、
請求項１に記載のラウドスピーカ。
【請求項１６】
前記発光素子の少なくとも一部は、前記振動板の前記内周端部に埋め込まれた、
請求項１に記載のラウドスピーカ。
【請求項１７】
音源信号を出力する音源部と、
前記音源部の出力が電気的に接続された音声処理部と、
前記音声処理部に電気的に接続された請求項１に記載のラウドスピーカと、を備えた、
電子機器。
【請求項１８】
本体部と、
前記本体部内に設けられた駆動部と、
前記本体部に収納され、音源信号を出力する音源部と、
前記音源部の出力が電気的に接続された音声処理部と、
前記本体部に装着され、かつ前記音声処理部に電気的に接続された請求項１に記載のラウドスピーカと、を備えた、
移動体装置。
【発明の詳細な説明】
【技術分野】
【０００１】
本技術分野は、イルミネーション機能を有するラウドスピーカと、これを用いた電子機器、移動体装置に関する。
【背景技術】
【０００２】
従来のイルミネーション機能を有するラウドスピーカでは、例えば、光源を振動板の前面に配置して、光源からの光を振動板に反射させている。あるいは光源を振動板の背面に配置して、光源からの光が振動板を透過する。【０００３】
尚、この出願の発明に関する先行技術文献情報としては、例えば、特許文献１が知られている。
【先行技術文献】
【特許文献】
【０００４】
【特許文献１】実公昭６３−３３４１４号公報
【発明の概要】
【０００５】
本発明は、明暗ムラを抑制し、品質の高いイルミネーションを実現できるラウドスピーカを提供する。
【０００６】
本発明のラウドスピーカは、発光素子と、フレームと、磁気ギャップを含む磁気回路と、振動板と、ボイスコイルボビンと、ボイスコイルと、を含む。振動板は、発光素子が結合された端面を含む内周端部と、内周端部から外周方向に設けられた導光部と、導光部の背面に設けられた反射面と、フレームに結合された外周端部とを有する。
【０００７】
以上の構成において、発光素子の光は、振動板の端面から入射され、導光部により拡散され、反射面にて反射される。そのため、振動板前面からの光には明暗ムラが生じない。したがって、振動板は均質に光っているように見え、品質の高いイルミネーションを示すことができる。
【図面の簡単な説明】
【０００８】
【図１】図１は、本発明の実施の形態におけるラウドスピーカの断面図である。
【図２】図２は、本発明の実施の形態におけるラウドスピーカの要部拡大断面図である。
【図３】図３は、本発明の実施の形態において、中間層を介して発光素子を内周端部に結合した場合のラウドスピーカの要部拡大断面図である。
【図４】図４は、本発明の実施の形態において、透明なボイスコイルボビンを介して発光素子を内周端部に結合した場合のラウドスピーカの要部拡大断面図である。
【図５】図５は、本発明の実施の形態において、発光素子を内周端部に埋め込んだ場合のラウドスピーカの断面図である。
【図６】図６は、本発明の実施の形態において、切り欠きを設けたボイスコイルボビンを用いた場合のラウドスピーカの要部拡大断面図である。
【図７】図７は、本発明の実施の形態において、切り欠きを設けたボイスコイルボビンを用い、発光素子を内周端部に埋め込んだ場合のラウドスピーカの要部拡大断面図である。
【図８】図８は、本発明の実施の形態において、ボイスコイルボビンを振動板の背面に結合した場合のラウドスピーカの要部拡大断面図である。
【図９】図９は、本発明の実施の形態において、ボイスコイルボビンを振動板の背面に結合し、発光素子を内周端部に埋め込んだ場合のラウドスピーカの要部拡大断面図である。
【図１０】図１０は、本発明の実施の形態におけるエッジを振動板の背面に連結した場合のラウドスピーカの要部拡大断面図である。
【図１１】図１１は、本発明の実施の形態において、内周端部が折れ曲がって形成された振動板を用いた場合のラウドスピーカの断面図である。
【図１２】図１２は、本発明の実施の形態において、折れ曲がった内周端部とボイスコイルボビンとを結合した場合のラウドスピーカの要部拡大断面図である。
【図１３】図１３は、本発明の実施の形態において、折れ曲がった内周端部と折れ曲がったボイスコイルボビンとを結合した場合のラウドスピーカの要部拡大断面図である。
【図１４】図１４は、本発明の実施の形態において折れ曲がった内周端部をボイスコイルボビンの内側に配置した場合のラウドスピーカの要部拡大断面図である。
【図１５】図１５は、本発明の実施の形態において、切り欠きを設けたボイスコイルボビンを用い、折れ曲がった内周端部をボイスコイルボビンの内側に配置した場合のラウドスピーカの要部拡大断面図である。
【図１６】図１６は、本発明の実施の形態における電子機器のブロック図である。
【図１７】図１７は、本発明の実施の形態における他の電子機器の概念図である。
【図１８】図１８は、本発明の実施の形態における移動体装置の概念図である。
【発明を実施するための形態】
【０００９】
本実施の形態におけるラウドスピーカの説明に先立って、従来のラウドスピーカの課題について説明する。
【００１０】
従来の反射方式のラウドスピーカでは、光源を中央に配置する場合、光源を支持する支持体が振動板からの反射光を遮るため、明暗ムラが生じる。また、複数個の光源を振動板の周囲や背面に配置した場合、光源から振動板までの距離が十分に確保できないため、振動板の光源からの距離の違いによって明暗ムラが生じる。
【００１１】
以下、本発明の実施の形態に係るラウドスピーカ１１について、図面を参照しながら、説明する。
【００１２】
図１は、ラウドスピーカ１１の断面図である。図２は、ラウドスピーカ１１の要部拡大断面図である。ラウドスピーカ１１は、フレーム１２と、磁気ギャップ１３Ｄを含む磁気回路１３と、振動板１４と、ボイスコイルボビン１５と、ボイスコイル１６と、発光素子である発光ダイオード（以下、ＬＥＤ）１８と、外部端子２２と、配線部２１とを含んでいる。磁気回路１３は、フレーム１２の背面部の中央部分に結合されている。
【００１３】
振動板１４の外周端部１４Ｊは、フレーム１２の外周部に連結されている。振動板１４は、透明樹脂によって形成されている。なお、振動板１４は、たとえばポリカーボネート（ＰＣ）や、アクリル等の熱可塑性樹脂によって形成できる。したがって、振動板１４は、射出成形などによって成形できるので、生産性に優れている。なお、振動板１４は、コーン型であるが、これに限らず平面型であっても良い。振動板１４は、内周端部１４Ｃと、内周端部１４Ｃから外周方向に設けられた板状の導光部１４Ａを含んでいる。なお、内周端部１４Ｃは、振動板１４の内周側の端部に形成されている。さらに振動板１４には、導光部１４Ａの背面に設けられた反射面１４Ｄが形成されている。
【００１４】
振動板１４は、エッジ１４Ｈを含む。この場合、エッジ１４Ｈは導光部１４Ａの外周側の端部に連結されている。そして、エッジ１４Ｈの外周部がフレーム１２の外周部に結合されている。すなわち、導光部１４Ａはエッジ１４Ｈを介してフレーム１２に連結されている。エッジ１４Ｈは、振動板１４の前面側へ貼り付けられ、かつ振動板１４の前面側へ突出した形状をしている。
【００１５】
ボイスコイルボビン１５は、第１端と第２端とを有している。第２端にボイスコイル１６が巻回されている。そして、ボイスコイルボビン１５の第１端は、振動板１４の端面１４Ｂと結合されている。端面１４Ｂは、ボイスコイルボビン１５の外周面に沿った形状であり、外周面と密着して結合している。一方、第２端は、磁気ギャップ１３Ｄへ挿入されている。
【００１６】
図２に示すように、ボイスコイルボビン１５には、窓部１５Ａが形成されている。窓部１５Ａは、ボイスコイルボビン１５の側面を貫通するように設けられている。なお、窓部１５Ａは端面１４Ｂの位置に設けられ、端面１４ＢにＬＥＤ１８が結合されている。そのために、ＬＥＤ１８は、ボイスコイルボビン１５の内側において、窓部１５Ａを貫通するように配置されている。
【００１７】
なお、ＬＥＤ１８の発光面は、端面１４Ｂを向いている。この構成によって、ＬＥＤ１８から出力された光は、端面１４Ｂへと入射され、内周端部１４Ｃを介して導光部１４Ａへと導かれる。なお、内周端部１４Ｃおよび端面１４Ｂは、振動板１４の内側の周縁部の全周に形成しても良い。ＬＥＤ１８は、たとえばフルカラータイプを用いることができる。なお、ＬＥＤ１８は、フルカラータイプに限らず、単色タイプでも良い。また、ＬＥＤ１８に限らず、エレクトロルミネッセンス（ＥＬ）素子等の発光素子をＬＥＤ１８に代えて用いても良い。
【００１８】
図１に示すように、外部端子２２は、フレーム１２に取り付けられている。配線部２１は、外部端子２２とＬＥＤ１８との間を電気的に接続している。なお、配線部２１は、リード線２１Ｂを含んでも良い。さらに、配線部２１は、プリント基板２１Ａを含んでも良い。この場合、ＬＥＤ１８は、プリント基板２１Ａにはんだなどによって、装着されている。また、配線部２１は、プリント基板２１Ａとリード線２１Ｂとを含んでも良い。この場合、プリント基板２１Ａは、リード線２１Ｂを介して、外部端子２２に電気的に接続される。この構成により、ＬＥＤ１８は、外部端子２２に入力される信号に基づいて駆動される。
【００１９】
さらに、ＬＥＤ１８とプリント基板２１Ａとの間もリード線２１Ｂによって接続することが好ましい。この構成により、プリント基板２１Ａの重量によって、ボイスコイルボビン１５の振動が妨げられることを抑制できる。
【００２０】
以上の構成により、振動板１４の内周端部１４Ｃの端面１４Ｂから入射された光は、外周方向へ拡散しながら振動板１４の内部で反射を繰り返す。さらに、導光部１４Ａにおいて、光は背面側に設けられた反射面１４Ｄによって、前面側に反射される。したがって、振動板１４の前面から、均一化された光が放出される。
【００２１】
次に、本実施の形態におけるラウドスピーカ１１についてさらに詳しく説明する。最初に振動板１４について、説明する。図２に示すように、反射面１４Ｄとしては、たとえば導光部１４Ａの背面に板状の突起１４Ｅを形成することによって構成できる。この場合、板状の突起１４Ｅは、振動板１４を形成する際に同時に成形することができる。したがって、振動板１４の生産性は高い。
【００２２】
また、反射面１４Ｄは、振動板１４の背面に光を反射する樹脂コーティング膜１４Ｆを設けることによって形成しても良い。このとき、樹脂コーティング膜１４Ｆの中に補強材を含めることによって、振動板１４の弾性率を向上させることができる。補強材としては、例えば竹から抽出されるプラントオパールや竹から抽出されるナノファイバを用いれば、弾性率が向上すると共に、樹脂コーティング膜１４Ｆの樹脂と補強材との結着性が向上する。
【００２３】
なお、内周端部１４Ｃは、導光部１４Ａより厚くすることが好ましい。この構成により、光が導光部１４Ａへ入射する効率がさらに高くなる。この場合、内周端部１４Ｃの厚みを、端面１４Ｂから導光部１４Ａに向かって、徐々に薄くすることが好ましい。この構成により、光が導光部１４Ａへ入射する効率が高くなる。
【００２４】
ボイスコイルボビン１５は筒状である。そして、端面１４Ｂは、ボイスコイルボビン１５の外周面に接していることが好ましい。
【００２５】
接着部１７は、たとえば接着剤を用いてボイスコイルボビン１５と振動板１４とを結合するように形成できる。接着部１７は、ボイスコイルボビン１５の外周面と振動板１４の前面との間に形成することが好ましい。なお、接着部１７は、ボイスコイルボビン１５の外周面と振動板１４の前面との間に限らず、ボイスコイルボビン１５の外周面と振動板１４の背面との間に形成しても良い。
【００２６】
ＬＥＤ１８は、発光面が端面１４Ｂに結合するように、内周端部１４Ｃに接着している。ＬＥＤ１８は前面発光型であることが好ましい。この構成により、光が導光部１４Ａへ入射する効率を高くできる。なお、ＬＥＤ１８は、前面発光型に限らず、側面発光型でも良い。また、ＬＥＤ１８は、広範囲配光型を使用することもできる。
【００２７】
ＬＥＤ１８は、図３に示すように、窓部１５Ａに設けられた透明材料を含む中間層１５Ｂを介して端面１４Ｂと結合しても良い。この場合、中間層１５Ｂの材料は、ＬＥＤ１８と振動板１４の間の屈折率を有することが好ましい。この構成によって、端面１４Ｂにおける反射が抑制できる。したがって、振動板１４に入射される光の効率を高くできる。
【００２８】
ボイスコイルボビン１５は、透明材料を用いて形成しても良い。この場合、図４に示すように、ＬＥＤ１８は、ボイスコイルボビン１５自体を介して端面１４Ｂと結合することができる。
【００２９】
また、ＬＥＤ１８は、図５に示すように、その一部または全部を内周端部１４Ｃの背面に埋め込んでも良い。この構成により、振動板１４の成形と同時にＬＥＤ１８を埋め込むことができるので、生産性が向上する。この場合、ＬＥＤ１８には、側面発光型を用いることが好ましい。この構成により、ＬＥＤ１８の端子は振動板１４の背面側に配置されるので、リード線２１Ｂによって容易に配線できる。
【００３０】
なお、図２〜図５において、内周端部１４Ｃは、振動板１４の内側の周縁部の全周に形成してもかまわない。この構成により、振動板１４をフレーム１２へ結合する際に、振動板１４の組立工数を削減できる。
【００３１】
図６、図７は、切り欠き１５Ｃが形成されたボイスコイルボビン１５を用いた場合のラウドスピーカ１１の要部拡大断面図である。図６において、ボイスコイルボビン１５の第１端において、ＬＥＤ１８が配置される位置には、切り欠き１５Ｃが形成されている。この場合、内周端部１４Ｃは、ボイスコイルボビン１５の内側へ突出していることが好ましい。すなわち、内周端部１４Ｃは、ボイスコイルボビン１５の内周面から内側に突出して配置されている。接着部１７は、ボイスコイルボビン１５の外周部と振動板１４の前面との間に設けられている。なお、接着部１７は、ボイスコイルボビン１５の内周面と振動板１４の背面との間に形成しても良い。あるいは、接着部１７は、ボイスコイルボビン１５の内周面と振動板１４の前面との間に形成しても良い。なお、内周端部１４Ｃは、ボイスコイルボビン１５の内周面から突出した構成に限らず、ボイスコイルボビン１５の内周面まで突出した構成でも良い。あるいは、内周端部１４Ｃは、切り欠き１５Ｃの外側に配置しても良い。
【００３２】
さらに、切り欠き１５Ｃには、折曲部１５Ｄを設けても良い。折曲部１５Ｄでは、ボイスコイルボビン１５の第１端の一部が、振動板１４の背面に沿って折れ曲がっている。この場合、ボイスコイルボビン１５は、光を反射可能な部材で構成することが好ましい。この構成により、折曲部１５Ｄでは、ＬＥＤ１８から出力された光を反射する。したがって、光を効率的に導光部１４Ａへ導くことができる。なお、折曲部１５Ｄと振動板１４とは、たとえば接着剤などによって、結合することが好ましい。この構成により、ボイスコイルボビン１５と振動板１４とが結合する強度を向上できる。なお、折曲部１５Ｄの折り曲げ方向は、ボイスコイルボビン１５の外側方向に限らず、内側方向でも良い。
【００３３】
また、図７に示すように、ＬＥＤ１８は、その一部または全部を内周端部１４Ｃに埋め込むことで結合しても良い。この構成により、振動板１４の成形と同時にＬＥＤ１８を結合できるので、生産性が向上する。
【００３４】
図８は、ボイスコイルボビン１５を振動板１４の背面に結合した場合のラウドスピーカ１１の要部拡大断面図である。ボイスコイルボビン１５の第１端は、振動板１４の背面に結合されている。この場合、接着部１７は、ボイスコイルボビン１５の第１端と振動板１４の背面との間に形成されている。この構成により、内周端部１４Ｃの全体が、ボイスコイルボビン１５の内周面から内側に突出する。この場合、内周端部１４Ｃは、振動板１４の内側の周縁部の全周に形成することが好ましい。
【００３５】
さらに、振動板１４の背面には、突起１４Ｇを設けても良い。この場合、接着部１７は、ボイスコイルボビン１５の第１端側の内、外両側面と、突起１４Ｇの側面との間に形成することが好ましい。なお、突起１４Ｇは、ボイスコイルボビン１５の第１端側の内周面もしくは外周面の少なくともいずれか一方のみに設けたものでも良い。この構成により、ボイスコイルボビン１５と振動板１４との結合強度を大きくできる。
【００３６】
また、図９に示すように、ＬＥＤ１８の一部または全部を内周端部１４Ｃに埋め込むことで結合しても良い。この構成により、振動板１４の成形と同時にＬＥＤ１８を結合できるので、生産性が向上する。
【００３７】
図１０は、エッジ１４Ｈを振動板１４の背面に連結した場合のラウドスピーカの要部拡大断面図である。この場合、エッジ１４Ｈは、振動板１４の背面側へ突出するように連結することが好ましい。この構成により、導光部１４Ａの前面は、エッジ１４Ｈによって覆われる部分が無くなるので、エッジ１４Ｈとの連結部からさらに外周方向へと延びた位置まで振動板１４を拡げることができる。したがって、振動板１４の発光する面積を拡大できる。
【００３８】
なお、図１に示すように、磁気回路１３は、外磁型であることが好ましい。磁気回路１３が、外磁型である場合、磁気回路１３には、ヨーク１３Ａ、磁石１３Ｂ、プレート１３Ｃを含んでいる。なお、ヨーク１３Ａの中央にはポールピースが設けられている。この場合、ヨーク１３Ａのポールピースには、リード線２１Ｂを通す貫通孔を設けておくことが好ましい。ヨーク１３Ａは、たとえば鉄などのような磁性体材料により形成されている。したがって、ヨーク１３Ａを製作する際に、ポールピースに貫通孔を容易に形成できる。
【００３９】
なお、磁気回路１３は、外磁型に限らず、内磁型であっても良い。この場合、プリント基板２１Ａは、磁石１３Ｂの上方に配置される。ところが、磁石１３Ｂに孔を加工することは困難である。そこで、磁気回路１３が内磁型の場合、ボイスコイルボビン１５にリード線２１Ｂを引き出すための孔を設ける。
【００４０】
また、磁気回路１３の前面とプリント基板２１Ａとの間に隙間を有するような場合、磁気回路１３の前面とプリント基板２１Ａとの間にスペーサ２０を設けることが好ましい。なお、磁気回路１３が外磁型である場合、スペーサ２０は、ヨーク１３Ａのポールピース上に搭載される。
【００４１】
さらに、ラウドスピーカ１１は、ダストキャップ１９を含むことが好ましい。ダストキャップ１９は、振動板１４の中央部に設けられている。なお、ダストキャップ１９は、振動板１４の前面側へ突出していることが好ましい。この構成より、ダストキャップ１９と磁気回路１３との間に空間を有する構成とできるので、この空間へＬＥＤ１８を収納できる。また、ダストキャップ１９は、たとえば黒色のような、光の透過量の小さい色であることが好ましい。この構成により、ＬＥＤ１８の光がダストキャップ１９から直接漏れることを抑制できる。したがって、もっぱら導光部１４Ａが発光するので、発光ムラのない美しいイルミネーションによって振動板１４を装飾できる。
【００４２】
さらに、ＬＥＤ１８を駆動する入力としては、ラウドスピーカ１１を駆動する音声信号を用いることが好ましい。この構成により、音の強さに合わせて光が明滅する。さらに、ＬＥＤ１８にフルカラータイプを用いた場合、音に同調させて、振動板１４の発光色を変化させることができる。なお、ＬＥＤ１８を駆動する入力は、ラウドスピーカ１１を駆動する音声信号に限らず、独立した入力信号でも良い。
【００４３】
図１１は、図１に示す振動板１４に代えて、折れ曲がって形成された内周端部１１４Ｃを有する振動板１１４を用いた場合のラウドスピーカ１１１の断面図である。ＬＥＤ１８は、振動板１１４の背面に向けて光を出力する。すなわち、ラウドスピーカ１１１では、図１に示すラウドスピーカ１１に比べて、ＬＥＤ１８の光を出力する方向が異なる。
【００４４】
振動板１１４の内周端部１１４Ｃは、ボイスコイルボビン１５の外周面に沿って、第２端に向かって折れ曲がっている。すなわち、端面１１４Ｂは、内周端部１１４Ｃにおいて振動板１１４の背面側を向くように配置されている。そして、ＬＥＤ１８は、端面１１４Ｂと結合している。そして、ＬＥＤ１８から出射される光は、端面１１４Ｂから振動板１１４へ入射する。
【００４５】
図１１に示すように、プリント基板２１Ａは、フレーム１２の中央部の前面に配置されている。ＬＥＤ１８は、プリント基板２１Ａを介して、２つのリード線２１Ｂによって外部端子２２に接続される。
【００４６】
磁気回路１３は外磁型、内磁型のいずれでもかまわない。磁気回路１３が外磁型である場合、プリント基板２１Ａは、プレート１３Ｃの中央部の前面に搭載しても良い。
【００４７】
内周端部１１４Ｃは、内周端部１１４Ｃの内側の側面とボイスコイルボビン１５の外周面との間に隙間を有するように形成することが好ましい。この構成により、プリント基板２１Ａの端部とボイスコイルボビン１５との間の距離を大きくできる。即ち、ボイスコイルボビン１５にローリングを生じたとしても、ボイスコイルボビン１５とＬＥＤ１８とが接触することを抑制できる。
【００４８】
図１２から図１５は、ラウドスピーカ１１１の要部断面図である。図１２は、折れ曲がった内周端部１１４Ｃとボイスコイルボビン１５の外周面とを結合した場合のラウドスピーカの要部拡大断面図である。内周端部１１４Ｃの側面は、ボイスコイルボビン１５の外周面と接している。そして、内周端部１１４Ｃとボイスコイルボビン１５とは接着部１７で結合されている。このように、内周端部１１４Ｃの側面と、ボイスコイルボビン１５の外周面とを接着すれば、振動板１１４とボイスコイルボビン１５とを結合する強度が向上する。
【００４９】
ＬＥＤ１８は、その一部または全部を内周端部１４Ｃに埋め込むことで結合しても良い。この構成により、振動板１１４の成形と同時にＬＥＤ１８を結合できるので、生産性が向上する。
【００５０】
また、図１３に示すように、ボイスコイルボビン１５の第１端には、振動板１１４の前面に沿うように、外側へ折れ曲がった折曲部１５Ｅを設けることが好ましい。この構成により、ボイスコイルボビン１５の第１端によって、光は反射される。したがって、さらにＬＥＤ１８の光を効率的に導光部１４Ａへ導くことができる。
【００５１】
この場合、ボイスコイルボビン１５は、光反射可能な部材で形成することが好ましい。この構成により、ＬＥＤ１８の光を効率的に導光部１４Ａへ導くことができる。
【００５２】
また、ボイスコイルボビン１５の第１端の折曲部１５Ｅは、振動板１１４の前面と接着することが好ましい。この構成により、さらにボイスコイルボビン１５と振動板１１４とを結合する強度が向上する。
【００５３】
図１４は、折れ曲がった内周端部１１４Ｃをボイスコイルボビン１５の内側に配置した場合のラウドスピーカ１１１の要部拡大断面図である。内周端部１１４Ｃは、ボイスコイルボビン１５の内周面に沿って折れ曲がっていても良い。また、内周端部１１４Ｃの外側の側面とボイスコイルボビン１５の内周面とを結合することが好ましい。なお、この場合、プリント基板２１Ａは、ボイスコイルボビン１５の内側に配置される。
【００５４】
図１１から図１４に示すラウドスピーカ１１１において、内周端部１１４Ｃは、ボイスコイルボビン１５の外周面もしくは内周面に沿って、振動板１１４の背面を一周するように形成しても良い。この構成により、さらに振動板１１４とボイスコイルボビン１５とを結合する強度が向上する。あるいは、内周端部１１４Ｃは、ＬＥＤ１８の前面の位置にのみ配置してもかまわない。この構成により、振動板１１４を軽くできる。さらに、内周端部１１４Ｃは、ダストキャップ１９によって隠れるような位置に配置することが好ましい。
【００５５】
図１５は、内周端部１１４Ｃを切り欠き１５Ｃを有したボイスコイルボビン１５の内側に配置した場合のラウドスピーカ１１１の要部拡大断面図である。すなわち図６に示す内周端部１４Ｃに代えて、内周端部１１４Ｃが設けられている。なお、この場合も、ＬＥＤ１８は端面１１４Ｂに向けて光を射出している。
【００５６】
図１１から図１５に示すラウドスピーカ１１１において、内周端部１１４Ｃの厚みを、導光部１４Ａに比べて厚くすることが好ましい。この構成により、ＬＥＤ１８が出力した光が、導光部１４Ａへ入射する効率を高くできる。さらに、振動板１１４とボイスコイルボビン１５との結合強度が向上する。
【００５７】
また、図１３から図１５に示すラウドスピーカ１１１において、ＬＥＤ１８は、その一部または全部を内周端部１４Ｃに埋め込むことで結合しても良い。この構成により、振動板１１４の成形と同時にＬＥＤ１８を結合できるので、生産性が向上する。
【００５８】
図１６は、電子機器２０１の回路ブロック図である。電子機器２０１は、たとえば、パチンコ、パチスロや、スロットマシンなどの遊技機である。あるいは、電子機器２０１は、たとえばミニコンポや、ラジカセなどの音響機器であっても良い。さらに音が出る遊戯具などでも良い。
【００５９】
電子機器２０１は、音源部２０３と、音声処理部２０４と、ラウドスピーカ１１を含んでいる。音源部２０３と音声処理部２０４は、筐体２０２内に収納されている。ラウドスピーカ１１は、筐体２０２に装着されている。
【００６０】
音源部２０３は、音声処理部２０４へ電気的に接続されている。音源部２０３は、図示しない音源から音源信号を読み込み、音声処理部２０４へ出力している。音源には音源信号が格納されている。音源は、たとえばＣＤ、ＤＶＤ、レコード、カセットテープや各種のメモリである。
【００６１】
音声処理部２０４の出力端は、ラウドスピーカ１１の外部端子２２と電気的に接続されている。音声処理部２０４は、少なくとも増幅器を含み、音源信号を増幅している。なお、音声処理部２０４には、さらにデジタル／アナログ（Ｄ／Ａ）変換器などを含んでも良い。
【００６２】
以上の構成により、視聴者は、音と共に美しい光の模様や像によるイルミネーションを楽しむことができる。
【００６３】
図１７は、電子機器３０１の概念図である。電子機器３０１は、本体部３０１Ａと遊戯台３０１Ｂと、音源部２０３と、音声処理部２０４と、ラウドスピーカ１１を含んでいる。なお、本体部３０１Ａには、複数の遊戯台３０１Ｂが組み込まれている。そしてそれぞれの遊戯台３０１Ｂ内には、音源部２０３と、音声処理部２０４と、ラウドスピーカ１１が収納されている。さらに、本体部３０１Ａにもラウドスピーカ１１を設けても良い。そして、ラウドスピーカ１１は、音声処理部２０４の出力に応じて音と光を出力している。
【００６４】
この構成により、遊戯者は遊戯時に遊戯台３０１Ｂが出力する音とともに、ラウドスピーカ１１によるイルミネーションを楽しむことができる。したがって、遊戯者はさらに、遊戯台３０１Ｂでの遊戯を楽しむことができる。
【００６５】
なお、本体部３０１Ａは、遊戯者が遊技場の従業員などに遊技機の異常などを知らしめるためのスイッチ（図示せず）を有している。そこで、本体部３０１Ａに設けられたラウドスピーカ１１をスイッチの操作による指示に応じて特定の発光をする構成としても良い。
【００６６】
図１８は、本実施の形態における移動体装置の概念図である。移動体装置４０１は、たとえば自動車である。なお、移動体装置４０１は、自動車に限らず、たとえばゴーカートや観覧車などのような遊戯具、航空機、船、バイク、自転車などの二輪車や、フォークリフトなどであっても良い。
【００６７】
移動体装置４０１は、本体部４０２と、駆動部４０３と、音源部２０３と、音声処理部２０４と、ラウドスピーカ１１を含んでいる。駆動部４０３は、エンジン、モータのいずれかを含んでいる。さらに駆動部４０３は、タイヤあるいはスクリュー、キャタピラ、変速機、ハンドルやアクセル等どのような操縦部を含んでも良い。そして、駆動部４０３の少なくとも一部と、音源部２０３と、音声処理部２０４とは、本体部内に収納されている。ラウドスピーカ１１は、本体部４０２において、移動体装置４０１に搭乗する人に音声が聞こえる位置に配置されている。
【００６８】
以上の構成により、移動体装置４０１に搭乗する人は、音とともに美しい光の模様や像によるイルミネーションを楽しむことができる。
【００６９】
なお、ラウドスピーカ１１をフォークリフトへ搭載した場合、フォークリフトの周囲に居る人へ音とともに光によってフォークリフトの接近を知らせることもできる。
【００７０】
さらに、ゴーカートや観覧車などのような遊戯具の外側へラウドスピーカ１１を搭載した場合、遊戯具へ搭乗している人だけでなく、遊戯具へ搭乗していない人もイルミネーションを楽しむことができる。
【００７１】
尚、電子機器２０１、電子機器３０１、移動体装置４０１において、ラウドスピーカ１１に代えて、ラウドスピーカ１１１を用いても良い。
【産業上の利用可能性】
【００７２】
本発明にかかるラウドスピーカは、美しい光による模様や像によるイルミネーションによって装飾できるという効果を有し、電子機器や移動体装置に用いるラウドスピーカとして有用である。
【符号の説明】
【００７３】
１１    ラウドスピーカ
１２    フレーム
１３    磁気回路
１３Ａ    ヨーク
１３Ｂ    磁石
１３Ｃ    プレート
１３Ｄ    磁気ギャップ
１４    振動板
１４Ａ    導光部
１４Ｂ    端面
１４Ｃ    内周端部
１４Ｄ    反射面
１４Ｅ    板状の突起
１４Ｆ    樹脂コーティング膜
１４Ｇ    突起
１４Ｈ    エッジ
１４Ｊ    外周端部
１５    ボイスコイルボビン
１５Ａ    窓部
１５Ｂ    中間層
１５Ｃ    切り欠き
１５Ｄ    折曲部
１５Ｅ    折曲部
１６    ボイスコイル
１７    接着部
１８    ＬＥＤ
１９    ダストキャップ
２０    スペーサ
２１    配線部
２１Ａ    プリント基板
２１Ｂ    リード線
２２    外部端子
１１１    ラウドスピーカ
１１４    振動板
１１４Ｂ    端面
１１４Ｃ    内周端部
２０１    電子機器
２０２    筐体
２０３    音源部
２０４    音声処理部
３０１    電子機器
３０１Ａ    本体部
３０１Ｂ    遊戯台
４０１    移動体装置
４０２    本体部
４０３    駆動部
【図１】
2015146117.tif 000003
【図２】
2015146117.tif 000004
【図３】
2015146117.tif 000005
【図４】
2015146117.tif 000006
【図５】
2015146117.tif 000007
【図６】
2015146117.tif 000008
【図７】
2015146117.tif 000009
【図８】
2015146117.tif 000010
【図９】
2015146117.tif 000011
【図１０】
2015146117.tif 000012
【図１１】
2015146117.tif 000013
【図１２】
2015146117.tif 000014
【図１３】
2015146117.tif 000015
【図１４】
2015146117.tif 000016
【図１５】
2015146117.tif 000017
【図１６】
2015146117.tif 000018
【図１７】
2015146117.tif 000019
【図１８】
2015146117.tif 000020
【手続補正書】
【提出日】平成28年1月22日(2016.1.22)
【手続補正１】
【補正対象書類名】明細書
【補正対象項目名】０００８
【補正方法】変更
【補正の内容】
【０００８】
【図１】図１は、本発明の実施の形態におけるラウドスピーカの断面図である。
【図２】図２は、本発明の実施の形態におけるラウドスピーカの要部拡大断面図である。
【図３】図３は、本発明の実施の形態において、中間層を介して発光素子を振動板の内周端部に結合した場合のラウドスピーカの要部拡大断面図である。
【図４】図４は、本発明の実施の形態において、透明なボイスコイルボビンを介して発光素子を振動板の内周端部に結合した場合のラウドスピーカの要部拡大断面図である。
【図５】図５は、本発明の実施の形態において、発光素子を振動板の内周端部に埋め込んだ場合のラウドスピーカの断面図である。
【図６】図６は、本発明の実施の形態において、切り欠きを設けたボイスコイルボビンを用いた場合のラウドスピーカの要部拡大断面図である。
【図７】図７は、本発明の実施の形態において、切り欠きを設けたボイスコイルボビンを用い、発光素子を振動板の内周端部に埋め込んだ場合のラウドスピーカの要部拡大断面図である。
【図８】図８は、本発明の実施の形態において、ボイスコイルボビンを振動板の背面に結合した場合のラウドスピーカの要部拡大断面図である。
【図９】図９は、本発明の実施の形態において、ボイスコイルボビンを振動板の背面に結合し、発光素子を振動板の内周端部に埋め込んだ場合のラウドスピーカの要部拡大断面図である。
【図１０】図１０は、本発明の実施の形態におけるエッジを振動板の背面に連結した場合のラウドスピーカの要部拡大断面図である。
【図１１】図１１は、本発明の実施の形態において、内周端部が折れ曲がって形成された振動板を用いた場合のラウドスピーカの断面図である。
【図１２】図１２は、本発明の実施の形態において、振動板の折れ曲がった内周端部とボイスコイルボビンとを結合した場合のラウドスピーカの要部拡大断面図である。
【図１３】図１３は、本発明の実施の形態において、振動板の折れ曲がった内周端部と折れ曲がったボイスコイルボビンとを結合した場合のラウドスピーカの要部拡大断面図である。
【図１４】図１４は、本発明の実施の形態において振動板の折れ曲がった内周端部をボイスコイルボビンの内側に配置した場合のラウドスピーカの要部拡大断面図である。
【図１５】図１５は、本発明の実施の形態において、切り欠きを設けたボイスコイルボビンを用い、振動板の折れ曲がった内周端部をボイスコイルボビンの内側に配置した場合のラウドスピーカの要部拡大断面図である。
【図１６】図１６は、本発明の実施の形態における電子機器のブロック図である。
【図１７】図１７は、本発明の実施の形態における他の電子機器の概念図である。
【図１８】図１８は、本発明の実施の形態における移動体装置の概念図である。
【手続補正２】
【補正対象書類名】明細書
【補正対象項目名】００３５
【補正方法】変更
【補正の内容】
【００３５】
さらに、振動板１４の背面には、突起１４Ｇを設けても良い。この場合、接着部１７は、ボイスコイルボビン１５の第１端側の内、外両側面と、突起１４Ｇの側面との間に形成することが好ましい。なお、突起１４Ｇは、ボイスコイルボビン１５の第１端側の内周面もしくは外周面のいずれか一方のみに設けたものでも良い。この構成により、ボイスコイルボビン１５と振動板１４との結合強度を大きくできる。
【手続補正３】
【補正対象書類名】明細書
【補正対象項目名】００４９
【補正方法】変更
【補正の内容】
【００４９】
ＬＥＤ１８は、その一部または全部を内周端部１１４Ｃに埋め込むことで結合しても良い。この構成により、振動板１１４の成形と同時にＬＥＤ１８を結合できるので、生産性が向上する。
【手続補正４】
【補正対象書類名】明細書
【補正対象項目名】００５６
【補正方法】変更
【補正の内容】
【００５６】
図１１から図１５に示すラウドスピーカ１１１において、内周端部１１４Ｃを、導光部１４Ａに比べて厚くすることが好ましい。この構成により、ＬＥＤ１８が出力した光が、導光部１４Ａへ入射する効率を高くできる。さらに、振動板１１４とボイスコイルボビン１５との結合強度が向上する。
【手続補正５】
【補正対象書類名】明細書
【補正対象項目名】００５７
【補正方法】変更
【補正の内容】
【００５７】
また、図１３から図１５に示すラウドスピーカ１１１において、ＬＥＤ１８は、その一部または全部を内周端部１１４Ｃに埋め込むことで結合しても良い。この構成により、振動板１１４の成形と同時にＬＥＤ１８を結合できるので、生産性が向上する。
【国際調査報告】
2015146117.tif 000021
2015146117.tif 000022
2015146117.tif 000023
2015146117.tif 000024